(57)【要約】【課題】シャッターチャンスを逃す可能性を極力低くすることが可能な撮影装置及び撮影方法を提供する。【解決手段】デジタルカメラは、スルー画像表示用の動画撮影中に、静止画撮影用の合焦状態の設定を開始するための第一の指示（レリーズボタンの半押し）がなされると、スルー画像表示用の動画撮影時の合焦状態のまま第一の静止画撮影を実施する（ステップＳ４）。第一の静止画撮影終了後、デジタルカメラはＡＦ機能によって静止画撮影用に合焦状態の更新及び撮影条件の設定を行い（ステップＳ５）、設定完了後、静止画撮影を開始するための第二の指示（レリーズボタンの全押し）がなされると（ステップＳ６：ＹＥＳ）、更新した合焦状態で、設定した撮影条件により第二の静止画撮影を行う（ステップＳ７）。【選択図】図２
2010056779.tif 000002
【特許請求の範囲】
【請求項１】
可動のフォーカスレンズを備える撮影装置であって、
スルー画像表示用の動画撮影中に、静止画撮影用の合焦状態の設定を開始するための第一の指示がなされると、前記スルー画像表示用の動画撮影時の合焦状態のまま第一の静止画撮影を実施する撮影手段を備える撮影装置。
【請求項２】
請求項１記載の撮影装置であって、
前記第一の静止画撮影終了後に前記静止画撮影用の合焦状態の設定を開始する合焦状態設定手段を備え、
前記撮影手段は、前記第一の指示の後に静止画撮影を行うための第二の指示がなされると、前記合焦状態設定手段によって設定された合焦状態で第二の静止画撮影を実施する撮影装置。
【請求項３】
請求項２記載の撮影装置であって、
前記合焦状態設定手段が、前記静止画撮影用の合焦状態の設定を被写体に応じて自動で行うものであり、合焦状態となる前記フォーカスレンズの位置のサーチ範囲を、前記スルー画像表示用の動画撮影時の合焦状態に基づく合焦範囲にしたがって前記フォーカスレンズの移動可能範囲よりも狭くする撮影装置。
【請求項４】
請求項２記載の撮影装置であって、
前記撮影装置の動きを検出する動き検出手段を備え、
前記第一の静止画撮影がなされた時点での前記撮影装置と、前記第二の指示がなされた時点での前記撮影装置との間に動きがあると前記動き検出手段により検出されたとき、前記撮影手段は、前記第一の静止画撮影と前記第二の静止画撮影とで同じ被写体像が撮影されるように、前記撮影装置の光学系と固体撮像素子を相対的に移動させて前記動きを相殺した上で前記第二の静止画撮影を実施する撮影装置。
【請求項５】
請求項２又は３記載の撮影装置であって、
前記第一の静止画撮影によって得られる第一の画像データと、前記第二の静止画撮影によって得られる第二の画像データとの差分を検出する差分検出手段と、
前記第一の画像データと前記第二の画像データに差分があった場合には前記第一の画像データと前記第二の画像データを外部にデータを出力可能な記録媒体に記録し、前記差分がなかった場合には前記第二の画像データのみを前記記録媒体に記録する記録手段とを備える撮影装置。
【請求項６】
請求項２〜４のいずれか１項記載の撮影装置であって、
前記第一の静止画撮影によって得られる第一の画像データ及び前記第二の静止画撮影によって得られる第二の画像データのそれぞれについて、合焦している範囲を検出する合焦範囲検出手段と、
前記第一の画像データと前記第二の画像データに、それぞれ前記合焦範囲検出手段で検出された合焦している範囲の情報を対応付けて記録する記録手段とを備える撮影装置。
【請求項７】
請求項６記載の撮影装置であって、
前記記録手段によって記録された前記画像データに基づく画像を表示手段に表示させる表示制御手段を備え、
前記表示制御手段は、前記第一の画像データ及び前記第二の画像データに基づく画像を表示させる際、それぞれに対応して記録されている前記合焦している範囲の情報も併せて表示させる撮影装置。
【請求項８】
請求項２〜４のいずれか１項記載の撮影装置であって、
前記第一の静止画撮影によって得られた画像データを記録媒体に記録する記録手段を備え、
前記記録手段は、前記第一の静止画撮影終了後に前記第一の指示がキャンセルされた場合、前記第一の指示がなされた後に前記第二の指示が所定時間なされなかった場合、及び前記第一の指示がなされてから撮影装置が所定量以上動かされた場合のいずれかの場合に、前記第一の静止画撮影によって得られた画像データを削除する撮影装置。
【請求項９】
請求項２〜８のいずれか１項記載の撮影装置であって、
前記撮影手段が、前記スルー画像表示用の動画撮影時の合焦状態で撮影を行う際に設定可能な撮影条件のうち撮影終了までの所要時間が最も短い撮影条件にしたがって前記第一の静止画撮影を実施する撮影装置。
【請求項１０】
可動のフォーカスレンズを備える撮影装置による撮影方法であって、
スルー画像表示用の動画撮影中に、静止画撮影用の合焦状態の設定を開始するための第一の指示がなされると、前記スルー画像表示用の動画撮影時の合焦状態のまま第一の静止画撮影を実施する撮影ステップを備える撮影方法。
【請求項１１】
請求項１０記載の撮影方法であって、
前記第一の静止画撮影終了後に前記静止画撮影用の合焦状態の設定を開始する合焦状態設定ステップを備え、
前記撮影ステップでは、前記第一の指示の後に静止画撮影を行うための第二の指示がなされると、前記合焦状態設定ステップによって設定された合焦状態で第二の静止画撮影を実施する撮影方法。
【請求項１２】
請求項１１記載の撮影方法であって、
前記合焦状態設定ステップでは、前記静止画撮影用の合焦状態の設定を被写体に応じて自動で行うものであり、合焦状態となる前記フォーカスレンズの位置のサーチ範囲を、前記スルー画像表示用の動画撮影時の合焦状態に基づく合焦範囲にしたがって前記フォーカスレンズの移動可能範囲よりも狭くする撮影方法。
【請求項１３】
請求項１１記載の撮影方法であって、
前記撮影装置の動きを検出する動き検出ステップを備え、
前記第一の静止画撮影がなされた時点での前記撮影装置と、前記第二の指示がなされた時点での前記撮影装置との間に動きがあると前記動き検出ステップにより検出されたとき、前記撮影ステップでは、前記第一の静止画撮影と前記第二の静止画撮影とで同じ被写体像が撮影されるように、前記撮影装置の光学系と固体撮像素子を相対的に移動させて前記動きを相殺した上で前記第二の静止画撮影を実施する撮影方法。
【請求項１４】
請求項１１又は１２記載の撮影方法であって、
前記第一の静止画撮影によって得られる第一の画像データと、前記第二の静止画撮影によって得られる第二の画像データとの差分を検出する差分検出ステップと、
前記第一の画像データと前記第二の画像データに差分があった場合には前記第一の画像データと前記第二の画像データを外部にデータを出力可能な記録媒体に記録し、前記差分がなかった場合には前記第二の画像データのみを前記記録媒体に記録する記録ステップとを備える撮影方法。
【請求項１５】
請求項１１〜１３のいずれか１項記載の撮影方法であって、
前記第一の静止画撮影によって得られる第一の画像データ及び前記第二の静止画撮影によって得られる第二の画像データのそれぞれについて、合焦している範囲を検出する合焦範囲検出ステップと、
前記第一の画像データと前記第二の画像データに、それぞれ前記合焦範囲検出ステップで検出された合焦している範囲の情報を対応付けて記録する記録ステップとを備える撮影方法。
【請求項１６】
請求項１５記載の撮影方法であって、
前記記録ステップで記録した前記画像データに基づく画像を表示手段に表示させる表示制御ステップを備え、
前記表示制御ステップでは、前記第一の画像データ及び前記第二の画像データに基づく画像を表示させる際、それぞれに対応して記録されている前記合焦している範囲の情報も併せて表示させる撮影方法。
【請求項１７】
請求項１１〜１３のいずれか１項記載の撮影方法であって、
前記第一の静止画撮影によって得られた画像データを記録媒体に記録する記録ステップを備え、
前記記録ステップでは、前記第一の静止画撮影終了後に前記第一の指示がキャンセルされた場合、前記第一の指示がなされた後に前記第二の指示が所定時間なされなかった場合、及び前記第一の指示がなされてから撮影装置が所定量以上動かされた場合のいずれかの場合に、前記第一の静止画撮影によって得られた画像データを削除する撮影方法。
【請求項１８】
請求項１１〜１７のいずれか１項記載の撮影方法であって、
前記撮影ステップでは、前記スルー画像表示用の動画撮影時の合焦状態で撮影を行う際に設定可能な撮影条件のうち撮影終了までの所要時間が最も短い撮影条件にしたがって前記第一の静止画撮影を実施する撮影方法。
【発明の詳細な説明】
【技術分野】
【０００１】
本発明は、可動のフォーカスレンズを備える撮影装置及び該撮影装置による撮影方法に関する。
【背景技術】
【０００２】
デジタルカメラやデジタルビデオカメラ等の撮影装置では、通常、撮像素子に被写体像を結像するためのレンズ系を備えており、このレンズ系は、複数のレンズ群により構成されたズームレンズと、撮影対象の被写体像を合焦させるフォーカスレンズとを含んで構成されている。
【０００３】
被写体を撮影する際には、上記ズームレンズを駆動することによってレンズ系の焦点距離を変更することで撮影角度範囲（画角）を所望に設定可能であると共に、撮影対象となる被写体像の特定の範囲に焦点が合った状態（合焦状態）となるフォーカスレンズの位置（合焦位置）を検索（ＡＦサーチ）して当該合焦位置に上記フォーカスレンズを移動させる合焦制御を自動的に実行するようになっている。なお、このように自動的に合焦制御を行う機能をＡＦ（オートフォーカス）機能という。
【０００４】
このような撮影装置では、例えば静止画撮影モードに設定するとスルー画像表示用の動画撮影が開始されて、表示部にスルー画像が表示されるようになっているのが一般的である。スルー画像表示用の動画撮影には、撮影装置から２メートル辺りの位置をピークに１メートル程度から無限遠までの範囲の被写体像に合焦させた状態（パンフォーカス）となるようにフォーカスレンズを所定位置に固定して動画撮影を行うパンフォーカスモードと、ＡＦ機能を継続的に実行して合焦状態を更新しながら動画撮影を行うコンティニュアスＡＦモードとの２種類がある。特許文献１には、ＡＦ機能によって合焦制御して撮影を行う自動焦点モードと、フォーカスレンズを固定して撮影を行う固定焦点モードとを切り替え可能なカメラが開示されている。
【０００５】
従来の撮影装置では、静止画撮影モードに設定されると、パンフォーカスモード又はコンティニュアスＡＦモードでスルー画像表示用の動画撮影を開始し、レリーズボタンが半押しされると、その時点からＡＦ機能を実行して静止画撮影用の合焦状態を設定する。そして、該合焦状態の設定後にレリーズボタンの全押しが可能となり、レリーズボタンの全押しがなされると、設定した合焦状態で静止画撮影を実施するといった動作が行われる。
【０００６】
しかし、このような動作だと、ユーザが静止画撮影を行いたいと思ってレリーズボタンを押した瞬間から実際にその静止画撮影を実施可能となるまでに、ＡＦ機能による合焦状態の設定時間だけ時間がかかってしまい、シャッターチャンスを逃してしまう可能性がある。
【０００７】
シャッターチャンスを逃さないための方法として、ＡＦ機能によって合焦状態を設定後、第一レリーズ開始から第二レリーズ開始までの間の被写体像を連続して撮影して残しておく方法（特許文献２，３）や、１枚目の撮影はＡＦモードで行い、１枚目を撮影してから所定時間以内に２枚目の撮影を行う場合に、ＡＦ機能を実行せずに２枚目の撮影を行う方法（特許文献４）等がある。しかし、いずれの方法も、ユーザが撮影意思を持ってから実際に１枚目の撮影が可能となるまでにＡＦ機能による合焦状態の設定に要する時間がかかってしまい、シャッターチャンスを逃す可能性は残っている。
【０００８】
【特許文献１】特開２００２−９０８２３号公報
【特許文献２】特開２００１−２５７９７６号公報
【特許文献３】特開２００２−８４４４２号公報
【特許文献４】特開２００６−９８５８９号公報
【発明の開示】
【発明が解決しようとする課題】
【０００９】
本発明は、上記事情に鑑みてなされたものであり、シャッターチャンスを逃す可能性を極力低くすることが可能な撮影装置及び撮影方法を提供することを目的とする。
【課題を解決するための手段】
【００１０】
本発明の撮影装置は、可動のフォーカスレンズを備える撮影装置であって、スルー画像表示用の動画撮影中に、静止画撮影用の合焦状態の設定を開始するための第一の指示がなされると、前記スルー画像表示用の動画撮影時の合焦状態のまま第一の静止画撮影を実施する撮影手段を備える。
【００１１】
この構成により、第一の指示がなされたとき、スルー画像表示用の動画撮影時の合焦状態のままで撮影が実施される。このため、第一の指示に応じて合焦状態の再設定を行ってから静止画撮影を実施する従来と比べると、静止画撮影開始までの時間を短縮することができる。この結果、シャッターチャンスを逃すことなく撮影を行うことが可能となる。
【００１２】
本発明の撮影装置は、前記第一の静止画撮影終了後に前記静止画撮影用の合焦状態の設定を開始する合焦状態設定手段を備え、前記撮影手段は、前記第一の指示の後に静止画撮影を行うための第二の指示がなされると、前記合焦状態設定手段によって設定された合焦状態で第二の静止画撮影を実施する。
【００１３】
例えば、スルー画像表示用の動画撮影時の合焦状態がパンフォーカスであり、合焦状態設定手段によって設定された合焦状態がユーザの意図する主要被写体に合焦させた合焦状態であった場合、上記構成により、第一の静止画撮影とは異なる最適な合焦状態で第二の静止画撮影を実施することができる。第二の静止画撮影は、第一の指示を行ってからそれが実施されるまでに多少の時間がかかるが、その分、高画質の撮影を行うことができる。
このように、利用者は、スルー画像表示用の動画撮影中に画角を決めて第一の指示と第二の指示を連続して行うことで、ほぼ同一の被写体に対して、撮影速度を優先した第一の静止画撮影と、画質を優先した第二の静止画撮影とを実施することができる。このため、シャッターチャンスを逃してしまうのを防止しながら、利用者の意図した合焦状態での高品質の画像をも得ることができる。
【００１４】
本発明の撮影装置は、前記合焦状態設定手段が、前記静止画撮影用の合焦状態の設定を被写体に応じて自動で行うものであり、合焦状態となる前記フォーカスレンズの位置のサーチ範囲を、前記スルー画像表示用の動画撮影時の合焦状態に基づく合焦範囲にしたがって前記フォーカスレンズの移動可能範囲よりも狭くする。
【００１５】
この構成により、第一の指示が行われてから合焦状態設定手段によって合焦状態が設定完了されるまでの時間を短くすることができ、第一の静止画撮影と第二の静止画撮影の実施間隔を短くすることが可能となる。したがって、第一の静止画撮影と第二の静止画撮影とで画像内容が大きく異なってしまうのを防ぐことができ、利用者の望む高品質画像を残すことが可能となる。
【００１６】
本発明の撮影装置は、前記撮影装置の動きを検出する動き検出手段を備え、前記第一の静止画撮影がなされた時点での前記撮影装置と、前記第二の指示がなされた時点での前記撮影装置との間に動きがあると前記動き検出手段により検出されたとき、前記撮影手段は、前記第一の静止画撮影と前記第二の静止画撮影とで同じ被写体像が撮影されるように、前記撮影装置の光学系と固体撮像素子を相対的に移動させて前記動きを相殺した上で前記第二の静止画撮影を実施する。
【００１７】
この構成により、第一の静止画撮影と第二の静止画撮影とで画像内容が大きく異なってしまうことを防ぐことができ、利用者の望む高品質画像を残すことが可能となる。
【００１８】
本発明の撮影装置は、前記第一の静止画撮影によって得られる第一の画像データと、前記第二の静止画撮影によって得られる第二の画像データとの差分を検出する差分検出手段と、前記第一の画像データと前記第二の画像データに差分があった場合には前記第一の画像データと前記第二の画像データを外部にデータを出力可能な記録媒体に記録し、前記差分がなかった場合には前記第二の画像データのみを前記記録媒体に記録する記録手段とを備える。
【００１９】
例えば第一の静止画撮影と第二の静止画撮影とが同じ合焦状態で実施されていた場合、撮影装置の位置に変更があったり、被写体が動いたりしなければ、ほぼ同じ画像データが２つ記録媒体に記録される。上記構成によれば、画像データ同士に差分がなければ第二の画像データのみを記録するため、ほぼ同じ画像データが記録媒体に２つ記録されてしまうのを防ぐことができる。このため、記録媒体の容量を節約することができると共に、撮影後の画像データの整理もスムーズに行うことができる。
【００２０】
本発明の撮影装置は、前記第一の静止画撮影によって得られる第一の画像データ及び前記第二の静止画撮影によって得られる第二の画像データのそれぞれについて、合焦している範囲を検出する合焦範囲検出手段と、前記第一の画像データと前記第二の画像データに、それぞれ前記合焦範囲検出手段で検出された合焦している範囲の情報を対応付けて記録する記録手段とを備える。
【００２１】
この構成により、第一の画像データと第二の画像データに対応付けられている合焦している範囲の情報を確認することで、どちらの画像データが意図した合焦状態で得られたものかを判断することができ、画像データの取捨選択を容易に行うことができる。
【００２２】
本発明の撮影装置は、前記記録手段によって記録された前記画像データに基づく画像を表示手段に表示させる表示制御手段を備え、前記表示制御手段は、前記第一の画像データ及び前記第二の画像データに基づく画像を表示させる際、それぞれに対応して記録されている前記合焦している範囲の情報も併せて表示させる。
【００２３】
この構成により、表示手段上に表示される情報にしたがって画像データの取捨選択を容易に行うことができる。
【００２４】
本発明の撮影装置は、前記第一の静止画撮影によって得られた画像データを記録媒体に記録する記録手段を備え、前記記録手段は、前記第一の静止画撮影終了後に前記第一の指示がキャンセルされた場合、前記第一の指示がなされた後に前記第二の指示が所定時間なされなかった場合、及び前記第一の指示がなされてから撮影装置が所定量以上動かされた場合のいずれかの場合に、前記第一の静止画撮影によって得られた画像データを削除する。
【００２５】
この構成により、利用者の意図しない画像データが記録媒体に記録されてしまうのを防ぐことができる。このため、記録媒体の容量を節約することができる。又、撮影する意思のなかった画像データを利用者が削除する煩わしさがなく、使い勝手が向上する。
【００２６】
本発明の撮影装置は、前記撮影手段が、前記スルー画像表示用の動画撮影時の合焦状態で撮影を行う際に設定可能な撮影条件のうち撮影終了までの所要時間が最も短い撮影条件にしたがって前記第一の静止画撮影を実施する。
【００２７】
この構成により、第一の静止画撮影終了までの時間を短くすることができるため、第一の指示が行われてから合焦状態設定手段によって合焦状態が設定完了されるまでの時間を短くすることができる。したがって、第一の静止画撮影と第二の静止画撮影の実施間隔を短くすることが可能となり、第一の静止画撮影と第二の静止画撮影とで画像内容が大きく異なってしまうのを防ぐことができ、利用者の望む高品質画像を残すことが可能となる。
【００２８】
本発明の撮影装置による撮影方法は、可動のフォーカスレンズを備える撮影装置による撮影方法であって、スルー画像表示用の動画撮影中に、静止画撮影用の合焦状態の設定を開始するための第一の指示がなされると、前記スルー画像表示用の動画撮影時の合焦状態のまま第一の静止画撮影を実施する撮影ステップを備える。
【００２９】
本発明の撮影装置による撮影方法は、前記第一の静止画撮影終了後に前記静止画撮影用の合焦状態の設定を開始する合焦状態設定ステップを備え、前記撮影ステップでは、前記第一の指示の後に静止画撮影を行うための第二の指示がなされると、前記合焦状態設定ステップによって設定された合焦状態で第二の静止画撮影を実施する。
【００３０】
本発明の撮影装置による撮影方法は、前記合焦状態設定ステップでは、前記静止画撮影用の合焦状態の設定を被写体に応じて自動で行うものであり、合焦状態となる前記フォーカスレンズの位置のサーチ範囲を、前記スルー画像表示用の動画撮影時の合焦状態に基づく合焦範囲にしたがって前記フォーカスレンズの移動可能範囲よりも狭くする。
【００３１】
本発明の撮影装置による撮影方法は、前記撮影装置の動きを検出する動き検出ステップを備え、前記第一の静止画撮影がなされた時点での前記撮影装置と、前記第二の指示がなされた時点での前記撮影装置との間に動きがあると前記動き検出ステップにより検出されたとき、前記撮影ステップでは、前記第一の静止画撮影と前記第二の静止画撮影とで同じ被写体像が撮影されるように、前記撮影装置の光学系と固体撮像素子を相対的に移動させて前記動きを相殺した上で前記第二の静止画撮影を実施する。
【００３２】
本発明の撮影装置による撮影方法は、前記第一の静止画撮影によって得られる第一の画像データと、前記第二の静止画撮影によって得られる第二の画像データとの差分を検出する差分検出ステップと、前記第一の画像データと前記第二の画像データに差分があった場合には前記第一の画像データと前記第二の画像データを外部にデータを出力可能な記録媒体に記録し、前記差分がなかった場合には前記第二の画像データのみを前記記録媒体に記録する記録ステップとを備える。
【００３３】
本発明の撮影装置による撮影方法は、前記第一の静止画撮影によって得られる第一の画像データ及び前記第二の静止画撮影によって得られる第二の画像データのそれぞれについて、合焦している範囲を検出する合焦範囲検出ステップと、前記第一の画像データと前記第二の画像データに、それぞれ前記合焦範囲検出ステップで検出された合焦している範囲の情報を対応付けて記録する記録ステップとを備える。
【００３４】
本発明の撮影装置による撮影方法は、前記記録ステップで記録した前記画像データに基づく画像を表示手段に表示させる表示制御ステップを備え、前記表示制御ステップでは、前記第一の画像データ及び前記第二の画像データに基づく画像を表示させる際、それぞれに対応して記録されている前記合焦している範囲の情報も併せて表示させる。
【００３５】
本発明の撮影装置による撮影方法は、前記第一の静止画撮影によって得られた画像データを記録媒体に記録する記録ステップを備え、前記記録ステップでは、前記第一の静止画撮影終了後に前記第一の指示がキャンセルされた場合、前記第一の指示がなされた後に前記第二の指示が所定時間なされなかった場合、及び前記第一の指示がなされてから撮影装置が所定量以上動かされた場合のいずれかの場合に、前記第一の静止画撮影によって得られた画像データを削除する。
【００３６】
本発明の撮影装置による撮影方法は、前記撮影ステップでは、前記スルー画像表示用の動画撮影時の合焦状態で撮影を行う際に設定可能な撮影条件のうち撮影終了までの所要時間が最も短い撮影条件にしたがって前記第一の静止画撮影を実施する。
【発明の効果】
【００３７】
本発明によれば、シャッターチャンスを逃す可能性を極力低くすることが可能な撮影装置及び撮影方法を提供することができる。
【発明を実施するための最良の形態】
【００３８】
以下、本発明の実施形態について図面を参照して説明する。
【００３９】
（第一実施形態）
図１は、本発明の第一実施形態を説明するための撮影装置の一例であるデジタルカメラの概略構成を示す図である。
図示するデジタルカメラの撮像系は、可動式のフォーカスレンズやズームレンズを含んで構成される光学系である撮影レンズ部１と、ＣＣＤイメージセンサやＣＭＯＳイメージセンサ等の固体撮像素子５と、この両者の間に設けられた絞り２とを備える。
【００４０】
デジタルカメラの電気制御系全体を統括制御するシステム制御部１１は、レンズ駆動部８を制御して撮影レンズ部１に含まれるフォーカスレンズの位置を合焦位置に来るように調整したり、ズームレンズの位置を変えてズーム調整を行ったりし、絞り駆動部９を介し絞り２の開口量を制御して露光量調整を行う。
【００４１】
又、システム制御部１１は、撮像素子駆動部１０を介して固体撮像素子５を駆動し、撮影レンズ部１を通して撮像した被写体像を撮像信号として出力させる。システム制御部１１には、操作部１４を通してユーザからの指示信号が入力される。
【００４２】
操作部１４には２段ストローク式のレリーズボタンが含まれ、このレリーズボタンを半押しすることで、静止画撮影用の合焦状態の設定を開始するための第一の指示がシステム制御部１１になされ、レリーズボタンを全押しすることで、静止画撮影を行うための第二の指示がシステム制御部１１になされるようになっている。
【００４３】
デジタルカメラの電気制御系は、更に、固体撮像素子５の出力に接続された相関二重サンプリング処理等のアナログ信号処理を行うアナログ信号処理部６と、このアナログ信号処理部６から出力された撮像信号をデジタル信号に変換するＡ／Ｄ変換回路７とを備え、これらはシステム制御部１１によって制御される。
【００４４】
更に、このデジタルカメラの電気制御系は、ＳＤＲＡＭ等のメインメモリ１６と、メインメモリ１６に接続されたメモリ制御部１５と、Ａ／Ｄ変換回路７から出力される撮像信号に対し、補間演算やガンマ補正演算，ＲＧＢ／ＹＣ変換処理等のデジタル信号処理を行って画像データを生成するデジタル信号処理部１７と、デジタル信号処理部１７で生成された画像データをＪＰＥＧ形式に圧縮したり圧縮画像データを伸張したりする圧縮伸張処理部１８と、着脱自在の記録媒体２１が接続される外部メモリ制御部２０と、カメラ背面等に搭載された液晶表示部２３が接続される表示制御部２２とを備え、これらは、制御バス２４及びデータバス２５によって相互に接続され、システム制御部１１からの指令によって制御される。メインメモリ１６は、液晶表示部２３に表示させるスルー画像用の画像データの生成を行うためのワークメモリとして利用される。
【００４５】
図２は、第一実施形態のデジタルカメラの静止画撮影モード時の動作フローを示した図である。
操作部１４が操作されてデジタルカメラが静止画撮影モードに設定されると、システム制御部１１は、デジタルカメラの合焦状態がパンフォーカスとなるようにレンズ駆動部８を介してフォーカスレンズを所定の位置に移動させる。そして、システム制御部１１は、絞り駆動部９を介して絞り２の開口量を所定の値にすると共に、撮像素子駆動部１０を介して固体撮像素子５を駆動して、スルー画像表示用の動画撮影を開始する（ステップＳ１）。
【００４６】
尚、スルー画像表示用の動画撮影を行う際のデジタルカメラの合焦状態についてはパンフォーカスに限らない。例えば、動画撮影中に得られる撮像信号を用いてＡＦ機能を継続的に実行するコンティニュアスＡＦ機能により、合焦状態を定期的に更新し続けるようにしても良い。
【００４７】
スルー画像表示用の動画撮影が開始されると、固体撮像素子５から出力される撮像信号からデジタル信号処理部１７によりスルー画像表示用の画像データが生成され、この画像データに基づく動画像（スルー画像）が表示制御部２２を介して表示部２３に表示される（ステップＳ２）。
【００４８】
スルー画像表示用の動画撮影を実施している期間にレリーズボタンの半押しがなされると（ステップＳ３：ＹＥＳ）、システム制御部１１は、レリーズボタンの半押しがなされた時点で設定されているデジタルカメラの合焦状態のまま、絞り駆動部９及び撮像素子駆動部１０を制御して第一の静止画撮影を実施する（ステップＳ４）。
【００４９】
尚、この第一の静止画撮影では、レリーズボタンが半押しされた時点での露出がそのまま適用され、その露出となるように絞り２や電子シャッタ開の時間（露光時間）等の撮影条件がシステム制御部１１により設定される。
【００５０】
第一の静止画撮影は、例えば、設定された露光期間が終了し、該露光期間によって固体撮像素子５で発生した電荷に応じた撮像信号が固体撮像素子５から出力され、この撮像信号からデジタル信号処理部１７により画像データが生成され、生成された画像データがメインメモリ１６に一時記憶された時点で終了する。
【００５１】
第一の静止画撮影が終了すると、システム制御部１１はＡＦ機能を実行してフォーカスレンズを合焦位置に移動させ、静止画撮影用に合焦状態を更新すると共に、ＡＥ（自動露出）を行って静止画撮影用の撮影条件（絞り値及び露光時間等）の設定を行う（ステップＳ５）。尚、ステップＳ５の処理が完了するまでは、レリーズボタンの全押しができないようにしておく。
【００５２】
合焦状態の更新及び撮影条件の設定後、レリーズボタンの全押しがなされると（ステップＳ６：ＹＥＳ）、システム制御部１１は、更新した合焦状態のまま、設定した撮影条件にしたがって絞り駆動部９及び撮像素子駆動部１０を制御して第二の静止画撮影を実施する（ステップＳ７）。
【００５３】
第二の静止画撮影も、例えば、設定された露光期間が終了し、該露光期間によって固体撮像素子５で発生した電荷に応じた撮像信号が固体撮像素子５から出力され、この撮像信号からデジタル信号処理部１７により画像データが生成され、生成された画像データがメインメモリ１６に一時記憶された時点で終了する。
【００５４】
第二の静止画撮影終了後、第一の静止画撮影で得られた画像データ（以下、第一の画像データ）と、第二の静止画撮影で得られた画像データ（以下、第二の画像データ）は、それぞれ外部メモリ制御部２０を介して記録媒体２１に記録される（ステップＳ８）。尚、ステップＳ８で行う画像データの記録対象となる記録媒体は、記録されている情報をデジタルカメラの外部に出力することのできる記録媒体であれば良く、着脱可能な記録媒体２１の他に、デジタルカメラ内部に設けられた内部メモリへの記録であっても良い。
【００５５】
記録完了後、静止画撮影モードが継続される場合（ステップＳ９：ＮＯ）はステップＳ１に処理が移行され、静止画撮影モードが終了された場合（ステップＳ９：ＹＥＳ）は動作が終了される。
【００５６】
以上のように、本実施形態のデジタルカメラによれば、レリーズボタンの半押しにより第一の指示がなされたとき、スルー画像表示用の動画撮影時の合焦状態のままで第一の静止画撮影が実施される。このため、第一の指示があったときに、静止画撮影用に合焦状態の更新を行ってから静止画撮影を実施する従来と比べると、静止画撮影開始までの時間を短縮することができる。この結果、シャッターチャンスを逃すことなく撮影を行うことが可能となる。
【００５７】
又、第一の静止画撮影終了後にレリーズボタンを全押しして第二の指示を行うことにより、静止画撮影用に更新した合焦状態で第二の静止画撮影を実施することができる。第二の静止画撮影は、第一の指示を行ってからそれが実施されるまでに多少の時間がかかるが、その分、利用者の意図する主要被写体に合焦させた状態で撮影を行うことができる。
【００５８】
このように、利用者は、スルー画像表示用の動画撮影中に画角を決めて第一の指示と第二の指示を連続して行うことで、ほぼ同一の被写体に対して、撮影速度を優先した第一の静止画撮影と、品質を優先した第二の静止画撮影とを実施することができる。このため、シャッターチャンスを逃してしまうのを防止しながら、利用者の意図した合焦状態での高品質の画像をも得ることができる。
【００５９】
（第二実施形態）
図３は、第二実施形態のデジタルカメラの概略構成を示す図である。図３において図１と同様の構成には同一符号を付してある。
図３に示すデジタルカメラは、図１に示すデジタルカメラの撮影レンズ部１が固体撮像素子５の受光面に対して垂直な方向だけでなく、水平方向にも移動できるようになっており、レンズ駆動部８が撮影レンズ部１の水平方向への移動制御も行うようになっている。又、システム制御部１１の機能が一部異なるものとなっている。又、デジタルカメラの動き（角速度、加速度、及び傾斜等）を検出する物理的なセンサ等で構成された動き検出部３を追加した構成となっている。
【００６０】
図４は、第二実施形態のデジタルカメラの静止画撮影モード時の動作フローを示した図である。図４において図２と同じ処理には同一符号を付して説明を省略する。
ステップＳ４の処理の開始と同時に、動き検出部３は、第一の静止画撮影が実施された時点でのデジタルカメラの位置及び向きをメモリに記憶する（ステップＳ１０）。ステップＳ１０の後はステップＳ５が行われ、ステップＳ６でレリーズボタンの全押しがなされると、動き検出部３は、全押しがなされた時点でのデジタルカメラの位置及び向きを検出し、これと、メモリに記憶されているデジタルカメラの位置及び向きとを比較し、デジタルカメラが第一の静止画撮影実施時点から動いたか否かを検出する。
【００６１】
動き検出部３は、第一の静止画撮影実施時点でのデジタルカメラの位置及び向きと、レリーズボタンの全押しがなされた時点でのデジタルカメラの位置及び向きとが一致したときに、デジタルカメラに動きがなかったと判定し、双方が一致しなかったときにデジタルカメラに動きがあったと判定する。
【００６２】
デジタルカメラに動きがあった場合（ステップＳ１１：ＹＥＳ）、システム制御部１１は、検出された動きを相殺する方向に撮影レンズ部１を移動させた上で、ステップＳ５で設定された合焦状態及び撮影条件に従って第二の静止画撮影を実施する（ステップＳ７’）。一方、デジタルカメラに動きがなかった場合（ステップＳ１１：ＮＯ）、ステップＳ７の処理が実施される。ステップＳ７’及びステップＳ７の後は、ステップＳ８以降の処理が行われる。
【００６３】
以上のように、本実施形態のデジタルカメラによれば、第一の静止画撮影がされた時点でのデジタルカメラと、第二の指示がなされた時点でのデジタルカメラとの間に動きがあった場合には、その動きを相殺するように撮影レンズ部１が移動させられた上で第二の静止画撮影が実施される。このため、第一の静止画撮影と第二の静止画撮影とで同じ被写体像を撮影することができる。したがって、第一の静止画撮影と第二の静止画撮影とで画像内容が大きく異なってしまうことを防ぐことができ、利用者の望む高品質画像を残すことが可能となる。又、デジタルカメラの動きが大きすぎて動きを補正できないような場合でも、第一の静止画撮影によって欲しい画像は得られているため、欲しい画像が得られなかったという最悪の事態は防ぐことができる。
【００６４】
尚、撮影レンズ部１は固定とし、固体撮像素子５を動かすことでデジタルカメラの動きを相殺しても良いし、双方を動かすことでデジタルカメラの動きを相殺しても良い。
【００６５】
（第三実施形態）
図５は、第三実施形態のデジタルカメラの概略構成を示す図である。図５において図１と同様の構成には同一符号を付してある。
図５に示すデジタルカメラは、図１に示すデジタルカメラに合焦範囲検出部１９を追加し、システム制御部１１の機能を一部変更したものである。
合焦範囲算出部１９は、スルー画像表示用の動画撮影が行われている期間において合焦状態が更新される毎に、その合焦状態における合焦範囲（焦点が合っているとみなせる範囲）を算出する。例えば、合焦状態がパンフォーカスに設定されていれば、フォーカスレンズの位置から合焦範囲を算出することができる。
【００６６】
図６は、第三実施形態のデジタルカメラの静止画撮影モード時の動作フローを示した図である。図６において図２と同じ処理には同一符号を付して説明を省略する。
ステップＳ１で動画撮影が開始されると、その動画撮影時に設定されている合焦状態に基づいて合焦範囲が算出される（ステップＳ１２）。ステップＳ１２の後は、ステップＳ２〜Ｓ４が行われる。
【００６７】
ステップＳ４の後、システム制御部１１はＡＦ機能を実行してフォーカスレンズを合焦位置に移動させ、静止画撮影用に合焦状態を更新すると共に、ＡＥ（自動露出）を行って静止画撮影用の撮影条件（絞り値及び露光時間等）の設定を行う（ステップＳ５’）。尚、システム制御部１１は、このＡＦ機能を実行する際、フォーカスレンズの合焦位置をサーチする範囲を、ステップＳ１２で算出された合焦範囲に相当する範囲に限定することで、フォーカスレンズが移動できる範囲をサーチ範囲とする場合よりも高速にＡＦ処理を行う。ステップＳ５’の後はステップＳ６以降の処理が行われる。
【００６８】
以上のように、本実施形態のデジタルカメラによれば、第二の静止画撮影用のＡＦ処理を高速化することができるため、第一の指示が行われてから合焦状態の更新が完了されるまでの時間を短くすることができ、第一の静止画撮影と第二の静止画撮影の実施間隔を短くすることが可能となる。したがって、第一の静止画撮影と第二の静止画撮影とで画像内容が大きく異なってしまうのを防ぐことができ、シャッターチャンスの確保と共に、利用者の望む高画質画像を残すことが可能となる。
【００６９】
尚、ステップＳ５’で設定する合焦位置のサーチ範囲は、ステップＳ１２で算出された合焦範囲に限定する例に限らず、フォーカスレンズが移動できる範囲よりも狭い範囲であれば良い。サーチ範囲をどれくらい狭くするかは、ステップＳ１２で算出した合焦範囲に応じて決めれば良く、少なくともステップＳ１２で算出された合焦範囲を含むようにすることが好ましい。
【００７０】
（第四実施形態）
図７は、第四実施形態のデジタルカメラの概略構成を示す図である。図７において図１と同様の構成には同一符号を付してある。
図７に示すデジタルカメラは、図１に示すデジタルカメラに撮影条件比較部２６を追加し、システム制御部１１の機能を一部変更したものである。
撮影条件比較部２６は、第一の静止画撮影を実施する際に設定可能な撮影条件（絞り値及び露光時間等の露出条件を含む）同士を比較し、撮影終了までに要する時間が最も短いものを選択して、その撮影条件をシステム制御部１１に通知する。
【００７１】
図８は、第四実施形態のデジタルカメラの静止画撮影モード時の動作フローを示した図である。図８において図２と同じ処理には同一符号を付して説明を省略する。
ステップＳ３でレリーズボタンが半押しされると、撮影条件比較部２６により、現時点で設定可能な撮影条件同士が比較され（ステップＳ１３）、設定可能な撮影条件のうち、撮影終了までの所要時間が最も短い撮影条件（例えば、ステップＳ３：ＹＥＳの時点での露出を実現できる撮影条件のうち露光時間が最も短い撮影条件）が選択されてシステム制御部１１に通知される。システム制御部１１では、通知された撮影条件を第一の静止画撮影時の撮影条件として設定する（ステップＳ１４）。そして、現時点での合焦状態のまま、ステップＳ１４で設定した撮影条件にしたがって第一の静止画撮影を実施する（ステップＳ４）。ステップＳ４の後は、ステップＳ５以降の処理が行われる。
【００７２】
第一の静止画撮影をパンフォーカスで行う場合、絞り２の状態により、シャッタスピードを遅くしたり、撮像信号の増幅ゲインを上げたりすることが必要になる場合がある。そこで、以上のように、第一の静止画撮影を、設定可能な撮影条件のうち所要時間が最短の条件にしたがって行うようにすることで、レリーズボタンを半押ししてから、レリーズボタンが全押し可能になるまでの時間を短縮することができる。したがって、第一の静止画撮影と第二の静止画撮影の実施間隔を短くすることが可能となり、第一の静止画撮影と第二の静止画撮影とで画像内容が大きく異なってしまうのを防ぐことができ、利用者の望む高画質画像を残すことが可能となる。
【００７３】
尚、本実施形態で説明した内容と第一実施形態〜第三実施形態で説明した内容とを組み合わせることも可能である。
【００７４】
（第五実施形態）
図９は、第五実施形態のデジタルカメラの概略構成を示す図である。図９において図１と同様の構成には同一符号を付してある。
図９に示すデジタルカメラは、図１に示すデジタルカメラに差分検出部２７を追加し、システム制御部１１の機能を一部変更したものとなっている。
差分検出部２７は、第一の静止画撮影によって得られた第一の画像データと、第二の静止画撮影によって得られた第二の画像データとの差分を検出し、その検出結果をシステム制御部１１に通知する。尚、差分検出は、２つの画像データを比較し、特異箇所（例えば人物被写体の顔部分）の画像内での位置が異なる場合や、特異箇所のコントラストが異なる場合等を検出する方法により実現することができる。
【００７５】
図１０は、第五実施形態のデジタルカメラの静止画撮影モード時の動作フローを示した図である。図１０においては、図２に示したステップＳ７の第二の静止画撮影実施以降の処理のみを図示してある。図１０において図２と同じ処理には同一符号を付して説明を省略する。
【００７６】
ステップＳ７で第二の静止画撮影が実施され、これにより第二の画像データが生成されてメインメモリ１６に一時記憶されると、第一の画像データと、第二の画像データとの差分の有無が検出される。
【００７７】
差分があった場合（ステップＳ２１：ＹＥＳ）はステップＳ８以降の処理が行われる。差分が無かった場合（ステップＳ２１：ＮＯ）、システム制御部１１は、差分検出部２７からの通知にしたがって第一の画像データをメインメモリ１６上から削除すると共に、第二の画像データを記録媒体２１に記録して（ステップＳ２３）、ステップＳ９に処理を移行する。
【００７８】
第一実施形態のデジタルカメラでは、例えば第一の静止画撮影と第二の静止画撮影とが同じ合焦状態で実施されていた場合、デジタルカメラの位置に変更があったり、被写体が動いたりしなければ、ほぼ同じ画像データが２つ記録媒体２１に記録されることになる。本実施形態のデジタルカメラによれば、画像データ同士に差分がなければ第二の画像データのみを記録するため、ほぼ同じ画像データが記録媒体２１に２つ記録されてしまうのを防ぐことができる。このため、記録媒体２１の容量を節約することができると共に、撮影後の画像データの整理もスムーズに行うことができる。
【００７９】
尚、本実施形態で説明した内容と第三及び第四実施形態で説明した内容とを組み合わせることも可能である。
【００８０】
（第六実施形態）
図１１は、第六実施形態のデジタルカメラの概略構成を示す図である。図１１において図１と同様の構成には同一符号を付してある。
図１１に示すデジタルカメラは、図１に示すデジタルカメラに記録停止検出部２８を追加し、システム制御部１１の機能を一部変更したものとなっている。
記録停止検出部２８は、第一の指示がなされた後に第二の指示が所定時間なされなかった場合及び第一の指示がなされてからデジタルカメラが所定量以上動かされた場合のいずれかの場合に、第一の静止画撮影のなされたタイミングは利用者が撮影したいタイミングではなかったと判断し、第一の画像データの記録を停止する指示をシステム制御部１１に通知する。記録停止検出部２８は、レリーズボタンの半押しから全押しまでの時間をタイマーで計測したり、角速度、加速度、及び傾斜等を検出するセンサを用いてデジタルカメラの動きを検出したりすることで、上記いずれかの場合であるか否かを判定する。
【００８１】
図１２は、第六実施形態のデジタルカメラの静止画撮影モード時の動作フローを示す図である。図１２において図２と同じ処理には同一符号付して説明を省略する。
ステップＳ５の後、システム制御部１１は、レリーズボタンの半押しが解除されて第一の指示がキャンセルされた場合、レリーズボタンの半押しがなされた後に全押しが所定時間なされなかった場合、及びレリーズボタンの半押しがなされてからデジタルカメラが所定量以上動かされた場合のいずれかの場合（ステップＳ３１：ＹＥＳ）に、第一の画像データをメインメモリ１６上から削除し（ステップＳ３２）、ステップＳ１に処理を移行する。
【００８２】
一方、ステップＳ５の後に、レリーズボタンの半押しが解除されて第一の指示がキャンセルされた場合、レリーズボタンの半押しがなされた後に全押しが所定時間なされなかった場合、及びレリーズボタンの半押しがなされてからデジタルカメラが所定量以上動かされた場合のいずれでもなかった場合（ステップＳ３１：ＮＯ）は、ステップＳ６以降の処理が行われる。
【００８３】
以上のように、本実施形態のデジタルカメラによれば、利用者の意図しない画像データが記録媒体２１に記録されてしまうのを防ぐことができる。このため、記録媒体２１の容量を節約することができる。又、撮影する意思のなかった画像データを利用者が削除する煩わしさがなく、使い勝手が向上する。
【００８４】
尚、ステップＳ３１：ＹＥＳの後に、第一の画像データを削除しても良いかどうかを利用者に確認し、削除する指示があった場合にこれを削除するようにしても良い。この場合、削除しない指示があった場合には、第一の画像データを記録媒体２１に記録してからステップＳ１に処理を移行すれば良い。
【００８５】
又、本実施形態で説明した内容と第二〜第五実施形態で説明した内容とを組み合わせることも可能である。
【００８６】
（第七実施形態）
図１３は、第七実施形態のデジタルカメラの概略構成を示す図である。
図１３に示すデジタルカメラは、図１に示すデジタルカメラに合焦範囲検出部２９を追加し、システム制御部１１の機能を一部変更したものである。
合焦範囲検出部２９は、第一の画像データと第二の画像データの各々から、例えばコントラスト検出等によってその画像データ内で合焦している範囲を検出し、その範囲をシステム制御部１１に通知する。
【００８７】
図１４は、第七実施形態のデジタルカメラの静止画撮影モード時の動作フローを示した図である。図１４においては、図２に示したステップＳ７の第二の静止画撮影実施以降の処理のみを図示してある。図１４において図２と同じ処理には同一符号を付して説明を省略する。
【００８８】
ステップＳ７で第二の静止画撮影が実施され、これにより第二の画像データが生成されてメインメモリ１６に一時記憶されると、第一の画像データと第二の画像データからそれぞれ合焦している範囲が検出される（ステップＳ４１）。
【００８９】
次に、システム制御部１１は、第一の画像データを、その画像データから検出された合焦している範囲の情報と対応付けて記録媒体２１に記録すると共に、第二の画像データを、その画像データから検出された合焦している範囲の情報と対応付けて記録媒体２１に記録する（ステップＳ８’）。又、システム制御部１１は、第一の画像データと第二の画像データが、レリーズボタンの半押しとその後の全押しによって行われたものであることを識別するために、第一の画像データと第二の画像データを対応付けて記録する。ステップＳ８’の後はステップＳ９へと処理を移行する。
【００９０】
記録媒体２１に記録された第一の画像データを再生する指示があると、システム制御部１１は、該第一の画像データと、それに対応する第二の画像データと、該第一の画像データ及び該第二の画像データの各々に対応付けられている、合焦している範囲の情報とを記録媒体２１から読み出し、該第一の画像データに基づく第一の画像と、該第二の画像データに基づく第二の画像を表示部２３に表示させる。又、該第一の画像と該第二の画像上に、それぞれに対応する合焦範囲を、例えば網掛けや色付け等によって重畳表示する。
【００９１】
以上のように、本実施形態のデジタルカメラによれば、第一の画像データと第二の画像データに、合焦している範囲の情報も対応付けて記録しているため、第一の画像データと第二の画像データに対応付けられている合焦している範囲の情報を再生時に確認することができ、どちらの画像データが意図した合焦状態で得られたものかを判断することができ、画像データの取捨選択を容易に行うことができる。
【００９２】
尚、第二の画像データの合焦している範囲と、その範囲に対応する第一の画像データの一部分をそれぞれ同じ倍率で拡大表示するようにしても良い。
【００９３】
又、本実施形態で説明した内容と第二〜第六実施形態で説明した内容とを組み合わせることも可能である。
【００９４】
又、第一〜第七実施形態で説明したデジタルカメラの機能は、静止画撮影モード時に常に実行されるものとしても良いし、特定のモード（例えば連写撮影モード）に設定されたときにのみ実行されるものとしても良い。
【図面の簡単な説明】
【００９５】
【図１】本発明の第一実施形態を説明するための撮影装置の一例であるデジタルカメラの概略構成を示す図
【図２】第一実施形態のデジタルカメラの静止画撮影モード時の動作フローを示した図
【図３】第二実施形態のデジタルカメラの概略構成を示す図
【図４】第二実施形態のデジタルカメラの静止画撮影モード時の動作フローを示した図
【図５】第三実施形態のデジタルカメラの概略構成を示す図
【図６】第三実施形態のデジタルカメラの静止画撮影モード時の動作フローを示した図
【図７】第四実施形態のデジタルカメラの概略構成を示す図
【図８】第四実施形態のデジタルカメラの静止画撮影モード時の動作フローを示した図
【図９】第五実施形態のデジタルカメラの概略構成を示す図
【図１０】第五実施形態のデジタルカメラの静止画撮影モード時の動作フローを示した図
【図１１】第六実施形態のデジタルカメラの概略構成を示す図
【図１２】第六実施形態のデジタルカメラの静止画撮影モード時の動作フローを示す図
【図１３】第七実施形態のデジタルカメラの概略構成を示す図
【図１４】第七実施形態のデジタルカメラの静止画撮影モード時の動作フローを示した図
【符号の説明】
【００９６】
１  撮影レンズ部
２  絞り
５  固体撮像素子
１１  システム制御部
【図１】
2010056779.tif 000003
【図２】
2010056779.tif 000004
【図３】
2010056779.tif 000005
【図４】
2010056779.tif 000006
【図５】
2010056779.tif 000007
【図６】
2010056779.tif 000008
【図７】
2010056779.tif 000009
【図８】
2010056779.tif 000010
【図９】
2010056779.tif 000011
【図１０】
2010056779.tif 000012
【図１１】
2010056779.tif 000013
【図１２】
2010056779.tif 000014
【図１３】
2010056779.tif 000015
【図１４】
2010056779.tif 000016